(57)【要約】【課題】カプセルの入れ替えや補充に際し、収納ケースが外筐体より外れることがないようにし、カプセルの散乱を回避できる商品取出装置を提供する。【解決手段】本発明に係る商品取出装置１は、外筐体２と、該外筐体２に引出し可能にセットされ、商品Ｓ入りカプセルＫを収納したカプセル収納ケース３とを備え、前記外筐体２はコイン投入孔２ａと、該コイン投入孔よりコインを投入した後に操作するハンドル２ｂと、該ハンドルの操作により前記収納ケース内から落下したカプセルの取出口２ｃを有する商品取出装置において、前記カプセル収納ケース３の引出し量を、前記カプセルの収納に必要な開口量に規制したことを特徴とし、引出し時にカプセル収納ケースが外筐体２より外れることがないように構成した。【選択図】図２
2007226837.tif 000002
【特許請求の範囲】
【請求項１】
外筐体と、該外筐体に引出し可能にセットされ、商品入りカプセルを収納したカプセル収納ケースとを備え、前記外筐体はコイン投入孔と、該コイン投入孔よりコインを投入した後に操作するハンドルと、該ハンドルの操作により前記収納ケース内から落下したカプセルの取出口を有する商品取出装置において、前記カプセル収納ケースの引出し量を、前記カプセルの収納に必要な開口量に規制したことを特徴とする商品取出装置。
【発明の詳細な説明】
【技術分野】
【０００１】
本発明は、外筐体のコイン投入孔よりコインを投入してハンドルを操作すると商品入りカプセルが取出孔より取り出せるようにした商品取出装置に関するものである。
【背景技術】
【０００２】
この種の商品取出装置として、従来は、外筐体に引出し可能にセットされたカプセル入り商品の収納ケースを、その外筐体から全部引き出せるように構成されていた。これは、それより以前の、カプセルの入れ替えや補充に面倒な作業を強いられていた商品取出装置の欠点を改良し、カプセルの入れ替えや補充の作業を楽にした。
【発明の開示】
【発明が解決しようとする課題】
【０００３】
しかしながら、上記従来の全部引出し型の収納ケースを持つ商品取出装置ではカプセルの入れ替えや補充に際し、細心の注意を払わないと、収納ケースを引出したときに引出し過ぎてしまい、ケースが外筐体より外れることがあり、かかる場合には内部のカプセルを散乱させる虞があった。
【０００４】
本発明は、上記の問題を解消するためのもので、その目的とするところは、カプセルの入れ替えや補充に際し、収納ケースが外筐体より外れることがないようにし、カプセルの散乱を回避できる商品取出装置を提供することにある。
【課題を解決するための手段】
【０００５】
上記目的を達成するため、本発明に係る商品取出装置は、外筐体と、該外筐体に引出し可能にセットされ、商品入りカプセルを収納したカプセル収納ケースとを備え、前記外筐体はコイン投入孔と、該コイン投入孔よりコインを投入した後に操作するハンドルと、該ハンドルの操作により前記収納ケース内から落下したカプセルの取出口を有する商品取出装置において、前記カプセル収納ケースの引出し量を、前記カプセルの収納に必要な開口量に規制したことを特徴とし、引出し時に収納ケースが外筐体より外れることがないように構成した。
【発明の効果】
【０００６】
本発明によれば、カプセル収納ケースの引出し時に、該カプセル収納ケースが外筐体より外れてしまうことがなく、内部のカプセルを散乱させることを未然に防止できるという優れた効果を奏するものである。
【発明を実施するための最良の形態】
【０００７】
次に、本発明の最良の形態を図面に基づいて説明する。図１は本願装置の平時の斜視図、図２は本願装置のカプセル収納ケースを引出したときの斜視図、図３は外筐体側のスライダと収納ケース側の連結部材との連結状態を示す斜視図、図４はスライダを二部材に拡開した状態の斜視図、図５は外筐体側のスライダと収納ケース側の連結部材との連結前の状態を示す斜視図、図６は外筐体からカプセル収納ケースを引出した状態を示す平面図で、（ａ）は最大引出し位置、（ｂ）は最大引出し位置にて水平方向に回動させた状態である。
【０００８】
本願装置１は、外筐体２と、該外筐体２に引出し可能にセットされたカプセル収納ケース３とを備えてなる。カプセル収納ケース３は、商品Ｓを入れたカプセルＫを多数個収納できる空間を有し、その底部には後記するハンドル操作によりカプセルＫを１個宛落下させる落下制御手段（図示せず）を備えている。
【０００９】
前記外筐体２は、コイン投入孔２ａと、該コイン投入孔２ａよりコイン（図示せず）を投入した後に操作するハンドル２ｂと、該ハンドル２ｂの操作により前記カプセル収納ケース３内から落下したカプセルＫの取出口２ｃとをそれぞれを有している。なお、図中、２ｄは不適性コイン（偽造コインや必要な枚数を超過したコイン等）の戻し口、２ｅは前記カプセル収納ケース３を引出すときに使用する鍵（図示せず）の鍵穴、２ｆは商品Ｓの価格表示部である。
【００１０】
前記カプセル収納ケース３は、その奥側の壁面３ａの上部に固定した連結部材４を、前記外筐体２の天井室５の前後壁５ａ、５ｂ間に渡設した軸杆６に摺動可能に嵌合したスライダ７に連結している。これによりカプセル収納ケース３の引出し量を、図２の如く、前記カプセルＫの収納に必要な開口量に規制できるようにしている。このカプセル収納ケース３の最大引出し位置Ｐは、前記天井室５の前壁５ａに前記スライダ７が当接した位置になる。
【００１１】
前記スライダ７は、その上部に設けた貫通孔７ａを、図３の如く、前記軸杆６に摺動可能に嵌合するとともに、中部に設けた結合溝部７ｂをカプセル収納ケース３の奥側の壁面３ａの上部に固定した連結部材４の結合軸部４ａに結合している。このスライダ７とカプセル収納ケース側の連結部材４との連結を容易に行わせ、かつ、結合後簡易に解除されないようにするためにスライダ７は前記貫通孔７ａを中心に、図４の如く、下部側が拡開できるような二部材７′、７″にするとともに、下部側のすり合わせ面には互いに嵌合できる嵌合凸部７ｃと嵌合孔７ｃ′とを備えている。
【００１２】
前記スライダ７を構成する二部材７′、７″はこれを拡開することにより、その中部に設けた結合溝部７ｂはこれに通じる軸孔７ｂ′を含めて２つに割れることから、図５の如く、前記カプセル収納ケース３の奥側の壁面３ａの上部に固定した連結部材４を構成する結合軸部４ａとその基軸４ｂとを簡易に受領できるようになっている。
【００１３】
前記外筐体２の天井室５の前後壁５ａ、５ｂ間に渡設した軸杆６は、複数本であっても良いが、図示の例では中央位置に１本の場合を示している。これによりカプセル収納ケース３は、図６（ａ）の如く、外筐体２から最大引出し位置Ｐまで引出した後、同図（ｂ）の実線及び一点鎖線の如く、前記連結部材４を構成する結合軸部４ａを中心にして水平方向に回動させることが可能となる。このことはカプセル収納ケース３と外筐体２との脇部にオペレータの手腕が挿入できる大きな開口部８、８が形成できるようになり、コイン投入孔２ａのコインの詰まり解消、価格表示部２ｆの表示面の変更、その他のメンテナンス作業性の向上などに寄与できる。
【００１４】
上記実施態様に示した本願装置１では説明していないが、前記カプセル収納ケース３の底部に設けたカプセルＫの落下制御手段の下側の前面側に空間ができる。この空間には、図示していないが、カプセルＫに入っている商品Ｓが見本として配置できるようになっている。
【００１５】
しかして、本願装置１がスーパーマーケットやコンビニエンスストアー等の店先に設置されていると、顧客は前記商品見本を確認し、外筐体２のコイン投入孔２ａより必要な枚数のコインを投入し、ハンドルを操作すると商品入りカプセルＫが取出孔２ｃより取り出せるようになる。取り出した商品ＳはカプセルＫを分解して確認されるが、望みの商品でなかったような場合には上記操作が繰り返されることもある。
【００１６】
本願装置１のカプセル収納ケース３には、オペレータにより定期的にカプセルＫの補充やカプセルＫの入れ替えが行われるが、この際、本願装置１では外筐体２よりカプセル収納ケース３が引出され過ぎることがなく、殊更に注意していなくてもカプセルの補充や入れ替え作業を安心して行えるものである。
【産業上の利用可能性】
【００１７】
本願商品取出装置は、外筐体のコイン投入孔よりコインを投入してハンドルを操作すると商品入りカプセルが取出孔より取り出せるようにし、引出し時に収納ケースが外筐体より外れることがないようにしたもので、特に、小児や子供を対象した商品取出装置には最適なものである。
【図面の簡単な説明】
【００１８】
【図１】本願装置の平時の斜視図である。
【図２】本願装置のカプセル収納ケースを引出したときの斜視図である。
【図３】外筐体側のスライダと収納ケース側の連結部材との連結状態を示す斜視図である。
【図４】スライダを二部材に拡開した状態の斜視図である。
【図５】外筐体側のスライダと収納ケース側の連結部材との連結前の状態を示す斜視図である。
【図６】外筐体からカプセル収納ケースを引出した状態を示す平面図で、（ａ）は最大引出し位置、（ｂ）は最大引出し位置にて水平方向に回動させた状態である。本願装置の略示的斜視図である。
【符号の説明】
【００１９】
１  本願装置
２  外筐体
２ａ  コイン投入孔
２ｂ  ハンドル
２ｃ  取出口
２ｄ  不適性コインの戻し口
２ｅ  鍵穴
２ｆ  価格表示部
３  カプセル収納ケース
３ａ  奥側の壁面
４  連結部材
４ａ  結合軸部
４ｂ  基軸
５  天井室
５ａ  前壁
５ｂ  後壁
６  軸杆
７  スライダ７
７ａ  貫通孔
７ｂ  結合溝部
７ｃ  嵌合凸部
７ｃ′  嵌合孔
７ｂ′  軸孔
７′、７″  二部材
８、８    開口部
Ｓ  商品
Ｋ  カプセル
Ｐ  最大引出し位置
【図１】
2007226837.tif 000003
【図２】
2007226837.tif 000004
【図３】
2007226837.tif 000005
【図４】
2007226837.tif 000006
【図５】
2007226837.tif 000007
【図６】
2007226837.tif 000008